(57)【要約】      （修正有）【課題】読取ラインセンサの設置スペースを大きくすることなく、フラットベットの原稿置き部で読み取る原稿サイズよりも幅の大きな原稿を読み取り可能な画像読取装置及びその画像読取装置を用いた画像形成装置を提供する。【解決手段】フラットベットは第１読取ラインセンサ１０を備え、原稿搬送装置５は原稿搬送方向に直交する方向の幅がフラットベットよりも広くしてあり且つ第２読取ラインセンサ１８を備え、第２読取ラインセンサ１８は、一端部が原稿の幅方向における第１読取ラインセンサ１０の読取領域と重複した位置にあり、他端部が第１読取ラインセンサ１０の読取領域から幅方向で離れた位置にあり、第１読取ラインセンサ１０の読取領域よりも大きな幅の原稿が原稿搬送装置５から搬送されたときに、第１読取ラインセンサ１０と第２読取ラインセンサ１８とが読み取った画像を画像合成部により合成する。【選択図】図９
2011010064.tif 000002
【特許請求の範囲】
【請求項１】
透明な原稿置き部に載置した原稿を読み取る静止原稿読取部及び静止原稿読取部の隣に設けた移動原稿読取部を有するフラットベットと、原稿置き部の上面を覆うと共に移動原稿読取部に向けて原稿を搬送する原稿搬送装置と、読み取り画像を合成する画像合成部とを備え、フラットベットは第１読取ラインセンサと、第１読取ラインセンサを静止原稿読取部と移動原稿読取部との間に移動するセンサ駆動部とを備え、原稿搬送装置は原稿搬送方向に直交する方向の幅がフラットベットよりも広く、搬送する原稿の前記幅方向の一端をフラットベットの移動原稿読取部の一端に一致した基準端としてあり、原稿置き部上の原稿の裏面を押し付ける圧板部と、原稿を積載する原稿トレイと、原稿トレイから原稿を給紙し移動原稿読取部の読み取り位置に搬送する搬送ローラと、移動原稿読取部の読み取り位置を通過した原稿を排出する排紙ローラと、第１読取ラインセンサに平行で且つ前記給紙ローラと前記排紙ローラの間に設けられた第２読取ラインセンサとを備え、第２読取ラインセンサは、一端部が原稿の幅方向における第１読取ラインセンサの読取領域と重複した位置にあり、他端部が第１読取ラインセンサの読取領域から幅方向で離れた位置にあり、第１読取ラインセンサの読取領域よりも大きな幅の原稿が原稿搬送装置から搬送されたときに、第１読取ラインセンサと第２読取ラインセンサとが読み取った画像を画像合成部により合成することを特徴とする画像読取装置。
【請求項２】
前記原稿搬送装置は、回動軸により回動自在にフラットベットに取り付けてあり、回動軸は原稿搬送装置の原稿搬送方向と直交する幅方向の一端が回動するように他端側に取り付けてあり且つ他端よりも一端側に位置していることを特徴とする請求項１に記載の画像読取装置。
【請求項３】
原稿搬送装置は第２読取ラインセンサと排紙ローラとの間に設け且つ移動原稿読取部側に原稿を案内する透明な原稿ガイドを備え、移動原稿読取部は上面に設けた読取穴を通して第１読取ラインセンサが原稿を読み取っており、フラットベットには読取穴を開閉自在なカバーが設けてあり、カバーは原稿搬送装置をフラットベットに対して閉じると読取穴を開き、原稿搬送装置をフラットベットに対して開くと読取穴を覆うことを特徴とする請求項２に記載の画像読取装置。
【請求項４】
前記透明原稿ガイドは原稿搬送装置に対して着脱可能としてあることを特徴とする請求項３に記載の画像読取装置。
【請求項５】
前記カバーは、閉じ位置にあるときに第１読取ラインセンサが移動原稿読取部に移動しようとすると第１読取ラインセンサに当接して第１読取ラインセンサの移動を阻止する移動阻止部を有することを特徴とする請求項３又は４に記載の画像読取装置。
【請求項６】
原稿搬送装置の給紙トレイは給紙可能な最小幅の原稿を搬送する領域に設けた第１原稿センサと、原稿の幅方向で第１読取ラインセンサと第２読取ラインセンサの画像読取領域に重複する位置に設けた第２原稿センサとを備え、第１原稿センサと第２原稿センサとが原稿を検知した場合に、画像合成部が第１読取ラインセンサと第２読取ラインセンサとで読み取った画像を合成することを特徴とする請求項１〜５の何れか一項に記載の画像読取装置。
【請求項７】
前記第１原稿センサ及び第２原稿センサが原稿を検知した場合には、原稿搬送装置の原稿搬送速度を、前記第１原稿センサのみが原稿を検知した場合に比較して遅くすることを特徴とする請求項６に記載の画像読取装置。
【請求項８】
原稿搬送装置は原稿の幅方向における回動軸側の端部に弾性を有するストッパを備え、原稿搬送装置をフラットベットに対して回動軸を中心に回動して開いたときストッパがフラットベットに当接することを特徴とする請求項２〜７の何れか一項に記載の画像読取装置。
【請求項９】
請求項２〜７の何れか一項に記載の画像読取装置と、画像読取装置で得た合成画像を出力する画像出力部とを備えたことを特徴とする画像形成装置。
【発明の詳細な説明】
【技術分野】
【０００１】
本発明は、フラットベットで読取可能な原稿サイズよりも大きな幅の原稿を読み取ることができる画像読取装置及び画像形成装置に関する。
【背景技術】
【０００２】
特許文献１には、フラットベットに静止原稿読取部と移動原稿読取部とを備えた原稿読取装置において、フラットベットの原稿置き部を長方形にしてその長手方向の長手方向に沿う方向に読取ラインセンサを配置し、静止画像読取部では読取ラインセンサを長方形の短手方向に走査し、移動原稿読取部では読取ラインセンサを直交する方向に原稿を搬送することにより、移動原稿読取部では、長方形の原稿置き部の長手寸法までの原稿を読み取り可能にしている。
【０００３】
また、特許文献２には、複数の読取ラインセンサを平行に且つ各読取ラインセンンサの端部における読取領域を重複させるように配置することにより、原稿幅の大きな原稿をその原稿幅よりも小さな読取ラインセンサを用いて読み取ることが開示されている。
【発明の概要】
【発明が解決しようとする課題】
【０００４】
しかし、特許文献１の技術では、移動原稿読取部で読み込み可能な原稿の幅は、長方形の原稿置き部における長辺の長さに制限されるため、より大きな幅の原稿を読み取り可能とすれば、フラットベットが大型化するという問題があると共に、読取ラインセンサの長さを長くしなければならないという問題がある。読取センサを長くすると部品コストが増大になるという不都合がある。
【０００５】
一方、特許文献２のように複数の読取ラインセンサを用いることにより、一つの読取ラインセンサの長さを大きくすることなく、幅の大きな原稿を読み取ることができるが、複数のラインセンサを一箇所に纏めて配置しているため、読取ラインセンサの配置スペースが大きくなるという問題がある。
【０００６】
本発明は、読取ラインセンサの設置スペースを大きくすることなく、フラットベットの原稿置き部で読み取る原稿サイズよりも幅の大きな原稿を読み取り可能な画像読取装置及びその画像読取装置を用いた画像形成装置の提供を目的とする。
【課題を解決するための手段】
【０００７】
前記課題を解決するために、請求項１に記載された発明は、透明な原稿置き部に載置した原稿を読み取る静止原稿読取部及び静止原稿読取部の隣に設けた移動原稿読取部を有するフラットベットと、原稿置き部の上面を覆うと共に移動原稿読取部に向けて原稿を搬送する原稿搬送装置と、読み取り画像を合成する画像合成部とを備え、フラットベットは第１読取ラインセンサと、第１読取ラインセンサを静止原稿読取部と移動原稿読取部との間に移動するセンサ駆動部とを備え、原稿搬送装置は原稿搬送方向に直交する方向の幅がフラットベットよりも広く、搬送する原稿の前記幅方向の一端をフラットベットの移動原稿読取部の一端に一致した基準端としてあり、原稿置き部上の原稿の裏面を押し付ける圧板部と、原稿を積載する原稿トレイと、原稿トレイから原稿を給紙し移動原稿読取部の読み取り位置に搬送する搬送ローラと、移動原稿読取部の読み取り位置を通過した原稿を排出する排紙ローラと、第１読取ラインセンサに平行で且つ前記給紙ローラと前記排紙ローラの間に設けられた第２読取ラインセンサとを備え、第２読取ラインセンサは、一端部が原稿の幅方向における第１読取ラインセンサの読取領域と重複した位置にあり、他端部が第１読取ラインセンサの読取領域から幅方向で離れた位置にあり、第１読取ラインセンサの読取領域よりも大きな幅の原稿が原稿搬送装置から搬送されたときに、第１読取ラインセンサと第２読取ラインセンサとが読み取った画像を画像合成部により合成することを特徴とする。
【０００８】
請求項２に記載の発明は、請求項１に記載の発明において、前記原稿搬送装置は、回動軸により回動自在にフラットベットに取り付けてあり、回動軸は原稿搬送装置の原稿搬送方向と直交する幅方向の一端が回動するように他端側に取り付けてあり且つ他端よりも一端側に位置していることを特徴とする。
【０００９】
請求項３に記載の発明は、請求項２に記載の発明において、原稿搬送装置は第２読取ラインセンサと排紙ローラとの間に設け且つ移動原稿読取部側に原稿を案内する透明な原稿ガイドを備え、移動原稿読取部は上面に設けた読取穴を通して第１読取ラインセンサが原稿を読み取っており、フラットベットには読取穴を開閉自在なカバーが設けてあり、カバーは原稿搬送装置をフラットベットに対して閉じると読取穴を開き、原稿搬送装置をフラットベットに対して開くと読取穴を覆うことを特徴とする。
【００１０】
請求項４に記載の発明は、請求項３に記載の発明において、前記透明原稿ガイドは原稿搬送装置に対して着脱可能としてあることを特徴とする。
【００１１】
請求項５に記載の発明は、請求項３又は４に記載の発明において、前記カバーは、閉じ位置にあるときに第１読取ラインセンサが移動原稿読取部に移動しようとすると第１読取ラインセンサに当接して第１読取ラインセンサの移動を阻止する移動阻止部を有することを特徴とする。
【００１２】
請求項６に記載の発明は、請求項１〜５の何れか一項に記載の発明において、原稿搬送装置の給紙トレイは給紙可能な最小幅の原稿を搬送する領域に設けた第１原稿センサと、原稿の幅方向で第１読取ラインセンサと第２読取ラインセンサの画像読取領域に重複する位置に設けた第２原稿センサとを備え、第１原稿センサと第２原稿センサとが原稿を検知した場合に、画像合成部が第１読取ラインセンサと第２読取ラインセンサとで読み取った画像を合成することを特徴とする。
【００１３】
請求項７に記載の発明は、請求項６に記載の発明において、前記第１原稿センサ及び第２原稿センサが原稿を検知した場合には、原稿搬送装置の原稿搬送速度を、前記第１原稿センサのみが原稿を検知した場合に比較して遅くすることを特徴とする。
【００１４】
請求項８に記載の発明は、請求項２〜７の何れか一項に記載の発明において、原稿搬送装置は原稿の幅方向における回動軸側の端部に弾性を有するストッパを備え、原稿搬送装置をフラットベットに対して回動軸を中心に回動して開いたときストッパがフラットベットに当接することを特徴とする。
【００１５】
請求項９に記載の発明は、請求項２〜７の何れか一項に記載の画像読取装置と、画像読取部で得た合成画像を出力する画像出力部とを備えたことを特徴とする画像形成装置である。
【発明の効果】
【００１６】
本発明によれば、フラットベットに設けた第１読取ラインセンサと、原稿搬送装置に設けた第２読取ラインセンサとにより原稿の幅方向における画像読取領域を分けているので、フラットベットの原稿置き部よりも大きな幅の原稿を原稿搬送装置で搬送して読み取ることができる。
【００１７】
第１読取ラインセンサはフラットベットに設け、第２読取ラインセンサは原稿搬送装置に設けているので、複数の読取ラインセンサを一箇所に集約していないから、読取ラインセンサの設置スペースを小さくできる。
【図面の簡単な説明】
【００１８】
【図１】第１実施の形態に係る画像形成装置を正面側から見た斜視図である。
【図２】図１に示す画像形成装置において、原稿搬送装置を開いた状態を示す斜視図である。
【図３】図１に示す画像形成装置を背面側から見た斜視図である。
【図４】図１に示す画像形成装置の平面図である。
【図５】図１に示す画像形成装置において、原稿搬送装置を除いて示す平面図である。
【図６】図５に示すＣ―Ｃ位置で切断して示す断面図である。
【図７】原稿搬送装置を図４に示すＡ―Ａ位置で切断して示す断面図である。
【図８】原稿搬送装置を図４に示すＢ―Ｂ位置で切断して示す断面図である。
【図９】原稿搬送装置及びフラットベットの移動原稿読取部を図４に示すＡ―Ａ位置で切断して示す断面図である。
【図１０】原稿搬送装置を下面側から見た斜視図である。
【図１１】補正用原稿による読み取り画像を示す平面図である。
【図１２】補正用原稿による画像合成の補正を示す平面図である。
【図１３】制御部の構成を示すブロック図である。
【図１４】原稿搬送速度の制御フローを示すフローチャートである。
【図１５】第２実施の形態に係る画像形成装置の平面図である。
【図１６】図１５に示すＤ―Ｄ断面図である。
【図１７】比較例を示す図であり、図９と同じ位置で比較例に係る画像形成装置を切断して示す断面図である。
【発明を実施するための形態】
【００１９】
図１〜図１４を参照して本発明の第１実施の形態につて説明する。第１実施の形態に係る画像読取装置１は、読み取った原稿の画像を用紙（シート）に複写する複写機である。この画像形成装置１は、図１に示すように、給紙された用紙に画像を形成する画像形成部２と、原稿の画像を読み取る画像読取装置３より構成され、画像読取装置３はフラットベット４と原稿搬送装置（ＡＤＦ（自動原稿搬送装置）、以下端に「ＡＤＦ」という）５から構成されている。
【００２０】
フラットベット４は、図２及び図５に示すように、上面に原稿を積載する透明な部材でできた原稿置き部（コンタクトガラス）９が設けてあり、原稿置き部９に載置した原稿を読み取る静止原稿読取部５２と、原稿置き部９の横に並んで設けた移動原稿読取部５３とを備えており、フラットベット４内には、原稿置き部９の下に第１読取ラインセンサ１０が設けてあり、第１読取ラインセンサ１０はセンサ駆動部１３（図５参照）により静止原稿読取部５２と移動原稿読取部５３との間を移動自在（矢印Ｋ）に配置されている。
【００２１】
第１読取ラインセンサ１０は、センサ駆動部１３により静止原稿読取部５２では静止原稿読取部５２と移動原稿読取部５３との並び方向に沿って走査し、移動原稿読取部５３では停止して位置する。
【００２２】
移動原稿読取部５３には、図６及び図９に示すように、フラットベット４の筺体８に読取り穴５４が形成してあり、読取り穴５４の下には、ＡＤＦ５を開いたときに読取り穴５４を塞ぐカバー１１が軸を中心に回動自在に設けてある。カバー１１はスプリング１２により筺体８側に付勢してあり、ＡＤＦ５を閉じたときには図９に示すように、ＡＤＦ５に設けた突起２３に押されて回動し、読取り穴５４を開くようになっている。
【００２３】
図６に示すうように、カバー１１は回動軸から離れた端には略Ｌ字状に形成した移動阻止部５５が設けてあり、カバー１１で読取り穴５４を閉じているときに、第１読取ラインセンサ１０が移動原稿読取部５３位置に移動しようとすると移動阻止部５５が当接して、第１読取ラインセンサ１０の移動を阻止するようになっている。
【００２４】
ＡＤＦ５は、図１〜図４に示すように、原稿の搬送方向Ｓ（図１参照）に垂交する幅Ｗ１がフラットベット４の幅Ｗ２よりも大きくしてあり、フラットベット４で読み取り可能な用紙の最大幅よりＡＤＦ５で搬送可能な用紙の最大幅が大きく設定されている。
【００２５】
図４に示すように、ＡＤＦ５において、搬送する原稿の幅方向の一端は移動原稿読取部５３の一端に一致した基準端５Ａとしてある。
【００２６】
図７に示すように、ＡＤＦ５は、原稿を積載する原稿トレイ１４、原稿トレイ１４に積載された原稿を給紙する給紙ローラ１５、給紙ローラ１５から搬送された原稿のスキュー補正を行い搬送する搬送ローラ１６、搬送ローラ１６により搬送された原稿を下流へとガイドする用紙ガイド１７、用紙ガイド１７から搬送された用紙を下流へとガイドする透明な部材でできた透明原稿ガイド１９と、透明原稿ガイド１９に対向して設け搬送されてきた原稿を透明原稿ガイド１９に押し付ける原稿押し付け部２９と、透明原稿ガイド１９を通過した原稿を排出する排紙ローラ２１、排紙ローラ２１で排出された用紙を積載する排紙トレイ２２を備えている。
【００２７】
図１０に示すように、透明原稿ガイド１９の原稿幅方向には第２原稿ガイド３１が設けてあり、原稿幅が所定寸法より小さい場合にはＡＤＦ５で読取を行う原稿は透明原稿ガイド１９と原稿押し付け部２９との間（図７参照）を通過し、原稿幅が所定寸法以上の場合には透明原稿ガイド１９と原稿押し付け部２９との間及び第２原稿ガイド３１と原稿押し付け２９との間（図８参照）の両方の間を通過する構成になっている。
【００２８】
図７及び図８に示すように、ＡＤＦ４の下面には下方に突設する突起２３が設けてあり、ＡＤＦ４をフラットベット４に対して閉じたときに、フラットベット４に形成されている挿入孔４１（図６及び図９参照）に挿入してカバー１１を押し下げるようなっている。
【００２９】
また、用紙ガイド１７において、給紙ローラ１５と透明原稿ガイド１９との間には、搬送されてきた原稿の幅方向の一部を読み取る第２読取ラインセンサ１８が設けてあり、第２読取ラインセンサ１８に対向する位置には第２原稿押し付け部３０が設けてある。
【００３０】
図４に示すように、第２読取ラインセンサ１８は、第１読取ラインセンサ１０に平行であり、基準端５Ａ側の一端部１８ａが第１読取ラインセンサ１０と、原稿の幅方向における読み取り領域と重複した位置にあり、他端部１８ｂが第１読取ラインセンサ１０の読取領域から幅方向で離れた位置（基準端５Ａから離れた側）にあり、第１読取ラインセンサ１０の読取領域よりも大きな幅の原稿が原稿搬送装置から搬送されたときに、第１読取ラインセンサ１０の読取領域から食み出した部分を第２読取ラインセンサ１８が読み取るようになっている。
【００３１】
ＡＤＦ５の原稿トレイ１４には、原稿の有無を検出する２つの原稿センサ２４、２５が設けてある。第１原稿センサ２４は、給紙可能な最小幅の原稿を搬送する領域に設けてあり、第２原稿センサ２５は原稿の幅方向で第１読取ラインセンサ１０と第２読取ラインセンサ１８の画像読取領域に重複する位置に設けてある。
【００３２】
ここで、図１〜図３を参照して、フラットベット４とＡＤＦ５との取付けについて説明する。フラットベット４は、基準端５Ａから搬送する原稿の幅方向に離れた位置で原稿搬送方向と平行な回動軸６によりフラットベット４に取り付けてあり、回動軸６を中心にしてＡＤＦ５の基準端５Ａ側を開くように回動することによりフラットベット４に対してＡＤＦ５が開閉自在に取り付けてある。この回動軸６はＡＤＦ５の原稿搬送方向と直交する幅方向の一端が回動するように他端側に取り付けてあるが、他端よりも一端側（内側）に位置している。
【００３３】
また、図３に示すように、回動軸６はＡＤＦ５の原稿幅方向の端よりも内側に位置しており、ＡＤＦ５には回転軸６よりもフラットベット４からは見出した位置にある下面に弾性体からなるストッパ７が設けてあり、ＡＤＦ５をフラットベット４に対して開いたときにストッパ７がフラットベット４の側面に当接してＡＤＦ５の回転を規制するようになっている。
【００３４】
次に、制御部５７について説明する。図１３に示すように、制御部５７には、画像合成部５８と原稿搬送速度設定部５９とが設けてある。画像合成部５８は、第１原稿センサ２４と第２原稿センサ２５とが原稿を検知した場合にのみ、第１読取ラインセンサと第２読取ラインセンサとで読み取った画像を合成するようになっている。
【００３５】
この画像合成部５８は補正用原稿３２（図１１参照）を第１読取ラインセンサ１０と第２読取ラインセンサ１８とで読み込んだときの画像データのずれを補正する補正データ部６１と、先端補正部６２と幅補正部６３を備えている。尚、第１読取ラインセンサ１０と第２読取ラインセンサ１８の読み取りデータは読み取りデータ部６４に取り込まれる。
【００３６】
そして、読み取りデータ部６４の読取データは、補正データ部６１の補正データに基づいて、先端補正部６２で画像の先端補正し、幅補正部６３で画像の幅補正をして合成データ部６５で合成データを出力する。
【００３７】
制御部５７の原稿搬送速度設定部５９は、第２原稿センサ２５が原稿を検知した場合には、原稿搬送装置の原稿搬送速度を、第１原稿センサ２４のみが原稿を検知した場合に比較して遅い搬送速度に設定する。
【００３８】
次に、画像形成装置１の動作及び作用について説明する。フラットベット４で静止原稿を読み取る場合には、ＡＤＦ５を開いて原稿置き部９に原稿を載置し、図１及び図３に示すように、ＡＤＦ５を閉じて、センサ駆動部１３により第１読取ラインセンサ１０を走査して静止原稿を読み取る。
【００３９】
ＡＤＦ５で原稿の読み込みをする際には、ＡＤＦ５を閉じて、原稿を給紙トレイ１４にセットして給紙ローラ１５で給紙し、搬送ローラ１６でスキュー補正を行った後、用紙ガイド１７から透明原稿ガイド１９と原稿押し付け部２９との間を通紙させて、用紙ガイド２０へと搬送され、用紙ガイド２０の排紙ローラ２１により排紙トレイ２２へ排出される。
【００４０】
ＡＤＦ５を開いた状態から閉じると、図６に示すように、ＡＤＦ５を開いた状態にあるときにはフラットベット４の移動原稿読取部５３に設けてある読取孔５４がカバー１１により塞がれているが、ＡＤＦ５を閉じると、カバー１１は突起２３に押されて開き、図９に示すように、透明原稿ガイド１９が移動原稿読取部５３の読取孔５４内に配置される。更に、第１読取ラインセンサ１０が移動原稿読取部５３に位置する。
【００４１】
一方、給紙トレイ１４では第１原稿センサ２４及び第２原稿センサ２５により、原稿サイズを検知して、図１３に示す制御部５７では、原稿搬送速度設定部５９により原稿の給紙速度を設定する。
【００４２】
即ち、原稿搬送速度設定部５９では、図１４に示すように、ステップＳ１で第１原稿センサ２４がオン（検知）になると、ステップＳ２で、第２原稿センサ２５がオンされたか否か判断し、第２原稿センサ２５がオンでない場合には、ステップＳ３で通常の搬送速度Ｆ１に設定し、第２原稿センサ２５がオンされた場合、即ち、所定の寸法よりも大きな幅の原稿である場合には搬送速度Ｆ１よりも遅い搬送速度Ｆ２に原稿搬送速度を設定する。
【００４３】
また、そして、原稿幅が所定の寸法以下の場合（第１原稿センサ２４のみがオン）には、通常速度Ｆ１で原稿を給紙し、第１読取ラインセンサ１０のみで原稿画像の読み取りを行う。尚、ＡＤＦ５で読取を行う原稿は透明原稿ガイド１９を通過し、第２用紙ガイド３１（図１０参照）は通過しない。
【００４４】
一方、原稿幅が所定寸法よりも大きい場合（第１原稿センサ２４及び第２原稿センサ２５が共にオンの場合）には、原稿は透明原稿ガイド１９と用紙ガイド３１（図１０参照）の両方を通過する。そして、原稿の画像は、第１読取ラインセンサ１０と第２読取ラインセンサ１８との両方で読み取り、各読み取った画像データは制御部５７の画像合成部６８で画像を合成する。
【００４５】
画像合成は、原稿を読み取る前に予め、図１１（ａ）に示すような補正用原稿３２をＡＤＦ５で読み込んで第１読取ラインセンサ１０と第２読取ラインセンサ１８の読み取りデータの位置補正を行う。この補正は、図１１に示すような補正用原稿３２を用い、第１読取ラインセンサ１０と第２読取ラインセンサ１８で読み取りを行い、第１読取ラインセンサ１０で読み取った第１画像３３と第２読取ラインセンサ１８で読み取った第２画像３４を合成し、画像合成部５８内に登録されている補正用原稿３２の画像データと一致するように、第１画像３３と第２画像３４とを、補正用原稿の画像データと一致させるための先端補正と幅方向補正を行い、その補正値を画像読取装置コントローラ３５内に記憶しておく。具体的には、図１２に示すように、第１画像３４のデータと第２画像のデータを合体させての先端の線の位置がどれだけずれているかを測定して、その値を先端補正値とする。幅方向補正の方法としては、読み取り補正用原稿３２の幅をＡ、第１読取ラインセンサ１０で読み取った画像の幅方向での寸法をＢ、第２読取ラインセンサ１８で読み取った画像の幅方向での寸法をＣとしたときに、Ｂ＋Ｃ−Ａで算出された値を幅方向補正値とし、幅方向補正値の部分のみを重ねる。
【００４６】
これらの補正値を用いて第２読取ラインセンサ１８で読み取った画像をずらし、画像の合成を行う。
【００４７】
尚、ＡＤＦ５の第２原稿センサ２５で用紙無し（ＯＦＦ）の場合には、ＡＤＦ５の第２読取ラインセンサ１８は常にＯＦＦの状態となっており、フラットベット部４の第１読取ラインセンサ１０のみで読み取る。このとき、フラットベット４の第１読取ラインセンサ１０で読み取った画像とＡＤＦ５の第２読取ラインセンサ１８で読み取った画像を合成する工程はないから、原稿搬送速度は通常の読み取り速度Ｆ１として作業を高速化することができる。
【００４８】
本実施の形態では、原稿はＡＤＦ５の用紙ガイド１９、３１に案内され、移動画像読取部５３では、原稿が外部に露出しないので、原稿の移動をスムーズに行うことができる。即ち、図１７に比較例を示すように、移動画像読取部５３で原稿ガイド１９、３１を用いずに原稿が外部に露出すると、露出した原稿を再度ＡＤＦ４へ案内する用紙ガイド７０に引掛り易くなり、原稿をスムーズに搬送できないおそれがある。
【００４９】
また、本実施の形態によれば、フラットベット４に設けた第１読取ラインセンサ１０と、ＡＤＦ５に設けた第２読取ラインセンサ１８とにより原稿の幅方向における画像読取領域を分けているので、フラットベット４の原稿置き部（コンタクトガラス）９よりも大きな幅の原稿をＡＤＦ５で搬送して読み取ることができる。
【００５０】
第１読取ラインセンサ１０はフラットベット４に設け、第２読取ラインセンサ１８はＡＤＦ５に設け、複数の読取ラインセンサを一箇所に集約していないから、読取ラインセンサの設置スペースを小さくできる。
【００５１】
ＡＤＦ５の回動軸６をＡＤＦの原稿幅方向の端よりも内側にしているので、重心移動が少なくなりＡＤＦ５の開閉を効率よく行うことができ、またＡＤＦ５を開閉するためのフラットベット４上の作業スペースがフラットベット４と同サイズのＡＤＦの場合と略同じにできる。
【００５２】
移動画像読取部５３の読取穴５４はＡＤＦ５が開いているときにはカバー１１により塞いでいるので、塵やゴミなどの浸入を防止できる。
【００５３】
また、カバー１１には第１読取ラインセンサ１０の移動を阻止する移動阻止部５５が設けてあるので、ＡＤＦ５が開いている状態でフラットベット４内の第１読取ラインセンサ１０がカバー１１側へ移動することを防止できる。
【００５４】
透明原稿ガイド１９は着脱可能としているので、部品の清掃や交換のメンテナンスコストが低減できる。
【００５５】
ＡＤＦ５の回動軸６側の端部下面に弾性ストッパ７を設けているので、ＡＤＦ５を開いたときにＡＤＦ５とフラットベット４との衝突による衝撃を和らげることができる。
【００５６】
以下に、本発明の他の実施の形態を説明するが、以下に説明する実施の形態において、上述した第１実施の形態と同一の作用効果を奏する部分には、同一の符号を付することにより、その部分の詳細な説明を省略し、以下の説明では、上述した第１実施の形態と主に異なる点を説明する。
【００５７】
図１５及び図１６を参照して第２実施の形態について説明する。この第２実施の形態では、透明原稿ガイド１９が第２読取ラインセンサ１８で読み取る位置で原稿の幅方向全体に渡って設けてあり、第２読取ラインセンサ１８と透明原稿ガイド１９の間には透過と反射が同時に可能なミラーガラス２８が設置されている。
【００５８】
この第２実施の形態では、用紙ガイド１７を搬送している用紙の画像をミラーガラス２８で反射させてフラットベット４の第１読取ラインセンサ１０で読み取り、またフラットベット部４の第１読取ラインセンサ１０の範囲外の画像はミラーガラス２８を通過させて第２読取ラインセンサ１８で読み取る構成となっている。
【００５９】
この第２実施の形態では、幅寸法の大きな原稿の画像を読み取る場合に、第１読取ラインセンサ１０と第２読取ラインセンサ１８とで読み取る原稿搬方向における画像読み取りタイミングを略同じにできるから、画像合成の際に第１実施の形態における先端補正値が必要なくなって幅方向補正だけとなり、画像合成が第１実施の形態よりも容易にできる。
【００６０】
本発明は上述した実施の形態に限らず、本発明の要旨を逸脱しない範囲で種々変形可能である。例えば、画像形成装置は、複写機に限らず、ファクシミリ等であっても良い。
【符号の説明】
【００６１】
１      画像形成装置
４      フラットベット
５      ＡＤＦ（原稿搬送装置）
６      回転軸
７      ストッパ
９      原稿置き部
１０    第１読取ラインセンサ
１１    カバー
１５    給紙ローラ
１６    搬送ローラ
１８    第２読取ラインセンサ
１９    透明原稿ガイド
２３    突起
２４    第１原稿センサ
２５    第２原稿センサ
５２    静止原稿読取部
５３    移動原稿読取部
５５    移動阻止部
５８    画像合成部
５９    原稿搬送速度決定部
【先行技術文献】
【特許文献】
【００６２】
【特許文献１】特開２００７−６７６０５号公報
【特許文献２】特許第４１９８６６７号公報
【図１】
2011010064.tif 000003
【図２】
2011010064.tif 000004
【図３】
2011010064.tif 000005
【図４】
2011010064.tif 000006
【図５】
2011010064.tif 000007
【図６】
2011010064.tif 000008
【図７】
2011010064.tif 000009
【図８】
2011010064.tif 000010
【図９】
2011010064.tif 000011
【図１０】
2011010064.tif 000012
【図１１】
2011010064.tif 000013
【図１２】
2011010064.tif 000014
【図１３】
2011010064.tif 000015
【図１４】
2011010064.tif 000016
【図１５】
2011010064.tif 000017
【図１６】
2011010064.tif 000018
【図１７】
2011010064.tif 000019